(57)【要約】      （修正有）【課題】燃料経費をかけずに、廃棄物の無煙焼却処理を行いながら、同時に貯水室の水を沸騰させてお湯を沸かす事を可能にした廃棄物燃料ガス化温水ボイラーを提供する。【解決手段】廃棄物貯蔵ガス化室１と温水ボイラー２から成り、且つ、廃棄物貯蔵ガス化室１と温水ボイラー２間にガス導入管３を接合し、ガス導入管の入口に格子状のセラミック板４を設け、且つ、廃棄物貯蔵ガス化室１には上部に旋回式密閉型開閉扉１ａと下部側面に着火口兼灰出口１ｂ及び送風機付送風口１ｃを所定角度程分離して設け、且つ、温水ボイラー２には下部上段側面にマキ投入口２ｂ及び送風機付送風口２ｃを所定角度程分離して設け、下部下段側面に着火用バーナ２ｄーを設け、且つ、温水ボイラー側の送風機と外部煙道管２ｅの間に風量調整弁ＡＣＶと接続ホースＨを接続して設けたものである。【選択図】図３
0003135956.tif 000002
【実用新案登録請求の範囲】
【請求項１】
牧場の廃棄物であるラップや死鶏等を廃棄物燃料として焼却し、ガスを発生させて温水ボイラーをガス化燃焼させてお湯を沸かす装置であって、該装置は主に所定容量を有する廃棄物貯蔵ガス化室（１）と所定容量の貯水室（２ａ）を有する温水ボイラー（２）から成り、且つ、廃棄物貯蔵ガス化室（１）と温水ボイラー（２）間にガス導入管（３）を接合し、ガス導入管の入口に格子状のセラミック板（４）を設け、且つ、該廃棄物貯蔵ガス化室（１）には上部に旋回式密閉型開閉扉（１ａ）と下部側面に着火口兼灰出口（１ｂ）及び送風機（Ｆ１）付送風口（１ｃ）を所定角度程位置を変更して設け、且つ、該温水ボイラー（２）には下部上段側面にマキ投入口（２ｂ）及び送風機（Ｆ２）付送風口（２ｃ）を所定角度程位置を変更して設け、下部下段側面に着火用バーナー（２ｄ）を設け、且つ、該温水ボイラー側の送風機（Ｆ２）と外部煙道管（２ｅ）の間に風量調整弁（ＡＣＶ）と接続ホース（Ｈ）を接続して設け、且つ、使用時は廃棄物貯蔵ガス化室（１）に廃棄物燃料（Ｗ）を入れて焼却させながらガス（Ｇ）を発生させ、更にガス化されたガス（Ｇ）を完全燃焼させる為に温水ボイラーのマキ投入口から木屑を投入して送風機で風を送りながら燃焼させ、燃焼室（２'）をガス化燃焼させて貯水室（２ａ）の水（Ｗ）を沸騰させてお湯（Ｗ'）を沸かす事を特徴とする廃棄物燃料ガス化温水ボイラー。
【考案の詳細な説明】
【技術分野】
【０００１】
この考案は、廃棄物燃料ガス化温水ボイラーに関するものである。
【背景技術】
【０００２】
従来、廃棄物を燃やす焼却炉は、数多く見られ出願もされている。しかし、これまでの焼却炉で煙を排出せずに燃焼し、その熱エネルギーを利用してお湯を沸かすボイラーは開発されていない。
【０００３】
これまでに出願されている廃棄物燃焼ボイラー及び焼却炉の特許文献を参考の為、紹介する。（特許文献1〜２参照。）
【特許文献１】特開２００４−２８６３８０
【特許文献２】特開２００７−０７８２０６
【考案の開示】
【考案が解決しようとする課題】
【０００４】
そこで、上記課題を解決する為に、この考案は廃棄物貯蔵ガス化室と温水ボイラーを組み合わせて、燃料経費を賭けずに、廃棄物をガス化燃焼方式により無煙焼却処理を行いながら、同時に貯水室の水を沸騰させてお湯を沸かす事を可能にした廃棄物燃料ガス化温水ボイラーを開発・提供する事にある。
【課題を解決するための手段】
【０００５】
この課題を解決する為の手段として、主に所定容量を有する廃棄物貯蔵ガス化室と所定容量の貯水室を有する温水ボイラーから成り、且つ、廃棄物貯蔵ガス化室と温水ボイラー間にガス導入管を接合し、ガス導入管の入口に格子状のセラミック板を設け、且つ、該廃棄物貯蔵ガス化室には上部に旋回式密閉型開閉扉と下部側面に着火口兼灰出口及び送風機付送風口を所定角度程位置を変更して設け、且つ、該温水ボイラーには下部上段側面にマキ投入口及び送風機付送風口を所定角度程位置を変更して設け、下部下段側面に着火用バーナーを設け、且つ、該温水ボイラー側の送風機と外部煙道管の間に風量調整弁と接続ホースを接続して設け、且つ、使用時は廃棄物貯蔵ガス化室に廃棄物燃料を入れて焼却させながらガスを発生させ、更にガス化されたガスを完全燃焼させる為に温水ボイラーのマキ投入口から木屑を投入して送風機で風を送りながら燃焼させ、燃焼室をガス化燃焼させて貯水室の水を沸騰させてお湯を沸かすものである。
【考案の効果】
【０００６】
この考案の効果として、主に所定容量を有する廃棄物貯蔵ガス化室と所定容量の貯水室を有する温水ボイラーから成り、且つ、廃棄物貯蔵ガス化室と温水ボイラー間にガス導入管を接合し、ガス導入管の入口に格子状のセラミック板を設け、且つ、該廃棄物貯蔵ガス化室には上部に旋回式密閉型開閉扉と下部側面に着火口兼灰出口及び送風機付送風口を所定角度程位置を変更して設け、且つ、該温水ボイラーには下部上段側面にマキ投入口及び送風機付送風口を所定角度程位置を変更して設け、下部下段側面に着火用バーナーを設け、且つ、該温水ボイラー側の送風機と外部煙道管の間に風量調整弁と接続ホースを接続して設け、且つ、使用時は廃棄物貯蔵ガス化室に廃棄物燃料を入れて焼却させながらガスを発生させ、更にガス化されたガスを完全燃焼させる為に温水ボイラーのマキ投入口から木屑を投入して送風機で風を送りながら燃焼させ、燃焼室をガス化燃焼させて貯水室の水を沸騰させてお湯を沸かす事で、廃棄物の処理費用の削減及びボイラーの燃料費の削減が可能と成り、且つ、無煙で有る為環境に優しい等、極めて有益なる効果を奏するものである。
【考案を実施するための最良の形態】
【０００７】
この考案の最良の形態として、廃棄物貯蔵ガス化室及び温水ボイラーの大きさは、装置を使用する牧場の規模に適合し、且つ、作業性・安全性・メインテナンス性・経済性等を考慮し、総合的にみて最適な大きさに設定する事が望ましい。
【実施例１】
【０００８】
そこで、この考案の一実施例を図１〜図２に基づいて詳述すると、牧場の廃棄物であるラップや死鶏等を廃棄物燃料として焼却し、ガスを発生させて温水ボイラーをガス化燃焼させてお湯を沸かす装置であって、該装置は主に所定容量を有する廃棄物貯蔵ガス化室（１）と所定容量の貯水室（２ａ）を有する温水ボイラー（２）から成り、且つ、廃棄物貯蔵ガス化室（１）と温水ボイラー（２）間にガス導入管（３）を接合し、ガス導入管の入口に格子状のセラミック板（４）を設け、且つ、該廃棄物貯蔵ガス化室（１）には上部に旋回式密閉型開閉扉（１ａ）と下部側面に着火口兼灰出口（１ｂ）及び送風機（Ｆ１）付送風口（１ｃ）を所定角度程位置を変更して設け、且つ、該温水ボイラー（２）には下部上段側面にマキ投入口（２ｂ）及び送風機（Ｆ２）付送風口（２ｃ）を所定角度程位置を変更して設け、下部下段側面に着火用バーナー（２ｄ）を設け、且つ、該温水ボイラー側の送風機（Ｆ２）と外部煙道管（２ｅ）の間に風量調整弁（ＡＣＶ）と接続ホース（Ｈ）を接続して設け、且つ、使用時は廃棄物貯蔵ガス化室（１）に廃棄物燃料（Ｗ）を入れて焼却させながらガス（Ｇ）を発生させ、更にガス化されたガス（Ｇ）を完全燃焼させる為に温水ボイラーのマキ投入口から木屑を投入して送風機で風を送りながら燃焼させ、燃焼室（２'）をガス化燃焼させて貯水室（２ａ）の水（Ｗ）を沸騰させてお湯（Ｗ'）を沸かす事を特徴とする廃棄物燃料ガス化温水ボイラーから構成される。
【０００９】
次に、この考案の概要について説明すると、まず、一方の廃棄物貯蔵ガス化室（１）側は、内部容量の大きさが直径Φ５７０ｍｍ×高さ７８０ｍｍの円筒形状に形成され、且つ、外周及び底部を耐火性構造物（ＣＲ）で包囲し、且つ、上部には耐火性の旋回式密閉型開閉扉（１ａ）を設けて、廃棄物を入れて焼却する時は、開閉扉の中央部に設けたハンドル付ネジを締め込んで密閉状態を確保出来るように成っている。そして、廃棄物貯蔵ガス化室（１）と温水ボイラー（２）間を接合するガス導入管（３）の入口部には幅５０ｍｍの格子状に形成したセラミック板（４）を設けてガスの流れを良くしている。又、貯蔵室の底部には複数の通気穴を有する火格子（１ｄ）が設置され、空気の流通を良くしている。
【００１０】
そして、他方の温水ボイラー（２）側は、大きさが縦約８００ｍｍ×横約８００ｍｍ×高さ１５００ｍｍの箱形状に形成され、且つ、上部に約３００Ｌ容量の貯水室と下部にマキ投入口（２ｂ）と着火用バーナー（２ｄ）を上下に並設し、又、ボイラーの中央下部の燃焼室（２'）には、上部に直径１６５ｍｍ×全長約２１００ｍｍの煙道管（２ｅ）を設け、且つ、該温水ボイラー側の送風機（Ｆ２）と外部煙道管（２ｅ）の間に風量調整弁（ＡＣＶ）と接続ホース（Ｈ）を接続して設け、風量調整弁を開閉調整して煙の排出量を調整出来るように成っている。
【００１１】
次に、ガス化温水ボイラーの焚付作業手順の一例について説明すると、まず、図３又は図４（Ａ）に示す様に、廃棄物貯蔵ガス化室（１）の中に、紙屑（Ｐ）と廃棄物（Ｗ）と木屑（Ｃ）等を順番に入れ、旋回式密閉型開閉扉（１ａ）を閉めた後、ハンドル付ネジを締め込んで密閉する。そして、温水ボイラー（２）の燃焼室（２'）を焚物又は着火用バーナー（２ｄ）で暖め、廃棄物貯蔵ガス化室（１）の着火口より紙屑（Ｐ）にマッチ等で火を着けて木屑（Ｃ）等と一緒に廃棄物（Ｗ）を燃焼させる。そして、廃棄物貯蔵ガス化室（１）の炎が廃棄物（Ｗ）にある程度広がって燃え始めると、着火口を閉め送風機（Ｆ１）のスィッチを入れる。そして、この時廃棄物貯蔵ガス化室（１）よりガス導入管（３）を通り温水ボイラー燃焼室（２'）に炎又は燃焼ガス（Ｇ）が出ている事を確認する。そして、温水ボイラー燃焼室（２'）で、ガス（Ｇ）が自然燃焼するように成ると、着火バーナーをバーナー送風に切り替え、時々燃焼室にマキ等を入れてガス化燃焼を補助する。続いて燃焼室（２'）でガスが完全燃焼出来る様、廃棄物貯蔵ガス化室（１）の送風機（Ｆ１）の風の強さを調整する。そして、そのまま約１時間位で廃棄物（Ｗ）が燃焼し、その時温水ボイラーの温度は８０℃位までに達している。そして、沸騰した温水は牧場の牛の洗浄や、牛小屋の清掃用等に使用される。
【００１２】
次に、廃棄物の種類に応じた焚付方法について説明すると、牧場（乳牛）の廃棄物焼却の場合は、図４（Ａ）に示す様に、廃棄物貯蔵ガス化室（１）の下部の着火口部に紙屑（Ｐ）を入れ、ラップ（Ｗ１）６kg、木屑（Ｃ）１０kg、その他の廃棄物（Ｗ３）５kgの順番に投入する。又、死鶏（Ｗ２）の焼却の場合は、図４（Ｂ）に示す様に、廃棄物貯蔵ガス化室（１）の下部の着火口部に木屑（Ｃ）と紙屑（Ｐ）を入れ、死鶏（Ｗ２）、木屑（Ｃ）、紙屑（Ｐ）の順番に投入する。
【産業上の利用可能性】
【００１３】
この考案の廃棄物燃料ガス化温水ボイラーは、牧場から出る各種廃棄物の無煙焼却処理を行いながら、同時に貯水室の水を沸騰させてお湯を沸かす為、燃料経費や労務費等が節減出来、且つ、環境に優しい為、多くの牧場や関係市場に寄与する点で産業上の利用可能性を有する。
【図面の簡単な説明】
【００１４】
【図１】この考案の一実施例を示し、正面視一部欠截断面図である。
【図２】この考案の一実施例を示し、平面視断面図である。
【図３】この考案の使用例を示し、牧場廃棄物（乳牛）燃焼時の正面視一部欠截断面図である。
【図４】この考案の使用例を示し、（Ａ）は牧場廃棄物（乳牛）燃焼時の断面図で、（Ｂ）は死鶏燃焼時の断面図を示す。
【符号の説明】
【００１５】
１  廃棄物貯蔵ガス化室
１ａ  旋回式密閉型開閉扉
１ｂ  着火口兼灰出口
１ｃ  送風口
１ｄ  火格子
２  温水ボイラー
２'  燃焼室
２ａ  貯水室
２ｂ  マキ投入口
２ｃ  送風口
２ｄ  着火用バーナー
２ｅ  煙道管
３  ガス導入管
４  セラミック板
ＡＣＶ  風量調整弁
Ｃ  木屑
ＣＲ  耐火性構造物
Ｆ１  送風機（廃棄物貯蔵室用）
Ｆ２  送風機（温水ボイラー用）
Ｇ  ガス
Ｈ  接続ホース
Ｐ  紙屑
Ｓ  蒸気
Ｗ  廃棄物燃料
Ｗ１  ラップ
Ｗ２  死鶏
Ｗ３  その他の廃棄物
ＷＡ  水
ＷＡ'  お湯
【図１】
0003135956.tif 000003
【図２】
0003135956.tif 000004
【図３】
0003135956.tif 000005
【図４】
0003135956.tif 000006